(57)【要約】【課題】スペクトル狭窄のモニタ精度の向上を図る制御装置等を提供する。【解決手段】制御装置は、第１の算出部と、補償部と、第２の算出部とを有する。第１の算出部は、第１のノードと第２のノードとの間を伝送する多重信号内の複数のチャネル内の両端チャネル以外のチャネルの内、第１のノード及び第２のノードで測定した第１のチャネルの第１のスペクトルを夫々取得する。第１の算出部は、第１のスペクトルから２点の周波数に対応したパワー量に基づき、第１のノードと第２のノードとの間の第１のスペクトルのチルト量を算出する。補償部は、両端チャネルの内、第２のノードで測定した第２のチャネルの第２のスペクトルを取得し、第２のスペクトルに対してチルト量を補償する。第２の算出部は、補償後の第２のスペクトルと、第１のノードで測定した第２のチャネルの第３のスペクトルとの差分を算出する。【選択図】図５
2019016986.tif 000002
【特許請求の範囲】
【請求項１】
第１のノードと第２のノードとの間を伝送する多重信号内の複数のチャネル内の両端チャネル以外のチャネルの内、前記第１のノード及び前記第２のノードで測定した第１のチャネルの第１のスペクトルを夫々取得し、前記第１のスペクトルから２点の周波数に対応したパワー量に基づき、前記第１のノードと前記第２のノードとの間の前記第１のスペクトルのチルト量を算出する第１の算出部と、
前記両端チャネルの内、前記第２のノードで測定した第２のチャネルの第２のスペクトルを取得し、前記第２のスペクトルに対して前記チルト量を補償する補償部と、
前記補償後の前記第２のスペクトルと、前記第１のノードで測定した前記第２のチャネルの第３のスペクトルとの差分を算出する第２の算出部と
を有することを特徴とする制御装置。
【請求項２】
前記多重信号は、複数の光信号を多重化する波長多重光であることを特徴とする請求項１に記載の制御装置。
【請求項３】
前記第２の算出部は、
前記補償後の前記第２のスペクトルの中心周波数と、前記第３のスペクトルの中心周波数とを揃えて前記差分を算出することを特徴とする請求項１又は２に記載の制御装置。
【請求項４】
前記第２の算出部にて算出した前記差分が減少する方向に、前記第１のノード又は前記第２のノードの透過特性を調整する制御部を有することを特徴とする請求項１〜３の何れか一つに記載の制御装置。
【請求項５】
前記第２の算出部にて算出した前記差分が減少する方向に、前記多重信号を送信する送信器内の前記多重信号の周波数を調整する制御部を有することを特徴とする請求項１〜３の何れか一つに記載の制御装置。
【請求項６】
対向側の伝送装置との間を伝送する多重信号内の複数のチャネル内の両端チャネル以外のチャネルの内、自装置及び前記対向側の伝送装置で測定した第１のチャネルの第１のスペクトルを夫々取得し、前記第１のスペクトルから２点の周波数に対応したパワー量に基づき、前記対向側の伝送装置との間の前記第１のスペクトルのチルト量を算出する第１の算出部と、
前記両端チャネルの内、前記自装置で測定した第２のチャネルの第２のスペクトルを取得し、前記第２のスペクトルに対して前記チルト量を補償する補償部と、
前記補償後の前記第２のスペクトルと、前記対向側の伝送装置で測定した前記第２のチャネルの第３のスペクトルとの差分を算出する第２の算出部と
を有することを特徴とする伝送装置。
【請求項７】
前記多重信号は、複数の光信号を多重化する波長多重光であることを特徴とする請求項６に記載の伝送装置。
【請求項８】
前記第２の算出部は、
前記補償後の前記第２のスペクトルの中心周波数と、前記第３のスペクトルの中心周波数とを揃えて前記差分を算出することを特徴とする請求項６又は７に記載の伝送装置。
【請求項９】
前記第２の算出部にて算出した前記差分が減少する方向に、前記自装置又は前記対向側の伝送装置の透過特性を調整する制御部を有することを特徴とする請求項６〜８の何れか一つに記載の伝送装置。
【請求項１０】
前記第２の算出部にて算出した前記差分が減少する方向に、前記多重信号を送信する送信器内の前記多重信号の周波数を調整する制御部を有することを特徴とする請求項６〜８の何れか一つに記載の伝送装置。
【請求項１１】
第１のノードと第２のノードとの間を伝送する多重信号内の複数のチャネル内の両端チャネル以外のチャネルの内、前記第１のノード及び前記第２のノードで測定した第１のチャネルの第１のスペクトルを夫々取得し、前記第１のスペクトルから第１の周波数及び第２の周波数に対応したパワー量に基づき、前記第１のノードと前記第２のノードとの間の前記第１のスペクトルの第１のチルト量を算出する第１の算出部と、
前記両端チャネルの内、前記第１のノード及び前記第２のノードで測定した第２のチャネルの第２のスペクトルを夫々取得し、前記第２のスペクトルから前記第１の周波数及び前記第２の周波数に対応したパワー量に基づき、前記第１のノードと前記第２のノードとの間の前記第２のスペクトルの第２のチルト量を算出する第２の算出部と、
前記第１のチルト量と前記第２のチルト量とを比較し、その比較結果に基づき、前記第１のノードと前記第２のノードとの間のスペクトル狭窄の有無を判定する判定部と
を有することを特徴とする制御装置。      
【請求項１２】
対向側の伝送装置の間を伝送する多重信号内の複数のチャネル内の両端チャネル以外のチャネルの内、自装置及び前記対向側の伝送装置で測定した第１のチャネルの第１のスペクトルを夫々取得し、前記第１のスペクトルから第１の周波数及び第２の周波数に対応したパワー量に基づき、前記対向側の伝送装置との間の前記第１のスペクトルのチルト量を算出する第１の算出部と、
前記両端チャネルの内、自装置及び前記対向側の伝送装置で測定した第２のチャネルの第２のスペクトルを夫々取得し、前記第２のスペクトルから前記第１の周波数及び前記第２の周波数に対応したパワー量に基づき、前記対向側の伝送装置との間の前記第２のスペクトルのチルト量を算出する第２の算出部と、
前記第１のチルト量と前記第２のチルト量とを比較し、その比較結果に基づき、自装置及びと前記対抗側の伝送装置との間のスペクトル狭窄の有無を判定する判定部と
を有することを特徴とする伝送装置。
【請求項１３】
第１のノードと第２のノードとの間を伝送する多重信号内の複数のチャネル内の両端チャネル以外のチャネルの内、前記第１のノード及び前記第２のノードで測定した第１のチャネルの第１のスペクトルを夫々取得し、前記第１のスペクトルから２点の周波数に対応したパワー量に基づき、前記第１のノードと前記第２のノードとの間の前記第１のスペクトルのチルト量を算出し、
前記両端チャネルの内、前記第１のノードで測定した第２のチャネルの第２のスペクトルを取得し、前記第２のスペクトルに対して前記チルト量を補償し、
前記補償後の前記第２のスペクトルと、前記第２のノードで測定した前記第２のチャネルの第３のスペクトルとの差分をスペクトル狭窄量として算出する
処理を実行することを特徴とするスペクトル狭窄算出方法。
【発明の詳細な説明】
【技術分野】
【０００１】
本発明は、制御装置、伝送装置及びスペクトル狭窄算出方法に関する。
【背景技術】
【０００２】
光伝送システムの周波数利用効率の向上を図る伝送技術として、例えば、スーパーチャネル等の高密度な波長多重光を伝送する技術がある。波長多重光を伝送するノードには、波長多重光内の光信号のチャネルを透過するＷＳＳ（Wavelength  Selective  Switch)がある。図２８は、波長多重光とＷＳＳの透過特性との関係の一例を示す説明図である。ＷＳＳは、図２８に示すように、設定された透過特性に応じて波長多重光内の所望チャネルを透過する。図２９は、スペクトル狭窄の一例を示す説明図である。波長多重光は、ＷＳＳの透過特性の周波数のズレや波長多重光の周波数のズレによって、図２９に示すように、ＷＳＳの透過特性によって波長多重光の一部が削られて劣化するスペクトル狭窄が発生する。スペクトル狭窄は、信号品質劣化やクロック再生失敗の要因となる。
【０００３】
そこで、各ノードは、ＯＣＭ（Optical  Channel  Monitor）を用いて各チャネルのスペクトルを測定し、ノード間のスペクトルを比較することで、ノード間のスペクトル狭窄をモニタできる。その結果、各ノードは、モニタ結果に基づき、スペクトル狭窄を回避できる。
【先行技術文献】
【特許文献】
【０００４】
【特許文献１】特開２０１３−１０６３２８号公報
【発明の概要】
【発明が解決しようとする課題】
【０００５】
しかしながら、波長多重光には、例えば、光パス上の光増幅器の周波数依存性の影響等でチルトが発生する。しかも、光パス上の光増幅器が多段の場合、光増幅器を通過する毎にチルト量が累積することになる。
【０００６】
図３０は、チルト発生前後の波長多重光のチャネルの一例を示す説明図である。波長多重光は、図３０に示すように、前述した光増幅器の影響の他、ファイバ損失の波長依存性の影響や、誘導ラマン散乱等の影響でもチルトが発生するため、チルト量が益々増加する。
【０００７】
更に、近年では、例えば、３０Ｇｂａｕｄから７０Ｇｂａｕｄへと、チャネルの高シンボルレート化が進むに連れて、チャネル内で発生するチルト量が益々増加する傾向にある。図３１は、チャネル内にチルトが発生した場合のスペクトル狭窄の一例を示す説明図である。チルト量が増加すると、チャネル内で発生するチルトの影響で、図３１に示すようにスペクトル狭窄を正確にモニタできなくなる。その結果、スペクトル狭窄が回避できないため、信号品質劣化やクロック再生失敗の要因となる。
【０００８】
一つの側面では、スペクトル狭窄のモニタ精度の向上を図る制御装置等を提供することを目的とする。
【課題を解決するための手段】
【０００９】
一つの案の制御装置は、第１の算出部と、補償部と、第２の算出部とを有する。第１の算出部は、第１のノードと第２のノードとの間を伝送する多重信号内の複数のチャネル内の両端チャネル以外のチャネルの内、前記第１のノード及び前記第２のノードで測定した第１のチャネルの第１のスペクトルを夫々取得する。更に、第１の算出部は、前記第１のスペクトルから２点の周波数に対応したパワー量に基づき、前記第１のノードと前記第２のノードとの間の前記第１のスペクトルのチルト量を算出する。補償部は、前記両端チャネルの内、前記第２のノードで測定した第２のチャネルの第２のスペクトルを取得し、前記第２のスペクトルに対して前記チルト量を補償する。第２の算出部は、前記補償後の前記第２のスペクトルと、前記第２のノードで測定した前記第２のチャネルの第３のスペクトルとの差分を算出する。
【発明の効果】
【００１０】
スペクトル狭窄のモニタ精度の向上を図る。
【図面の簡単な説明】
【００１１】
【図１】図１は、実施例１の光伝送システムの一例を示す説明図である。
【図２】図２は、実施例１のノードの一例を示す説明図である。
【図３】図３は、光挿入分岐部の一例を示す説明図である。
【図４】図４は、波長多重光とＷＳＳの透過特性との関係の一例を示す説明図である。
【図５】図５は、実施例１の制御装置の一例を示す説明図である。
【図６】図６は、実施例１のチルト量算出方法の一例を示す説明図である。
【図７】図７は、実施例１のチルト有無の一例を示す説明図である。
【図８】図８は、実施例１のチルト補償方法の一例を示す説明図である。
【図９】図９は、実施例１のスペクトル狭窄算出方法の一例を示す説明図である。
【図１０】図１０は、実施例１の第１の狭窄算出処理に関わる制御装置の処理動作の一例を示すフローチャートである。
【図１１】図１１は、スペクトル狭窄回避方法の一例を示す説明図である。
【図１２】図１２は、実施例２のチルト補償方法の一例を示す説明図である。
【図１３】図１３は、実施例２のスペクトル狭窄算出方法の一例を示す説明図である。
【図１４】図１４は、実施例２の第２の狭窄算出処理に関わる制御装置の処理動作の一例を示すフローチャートである。
【図１５】図１５は、実施例３の制御装置の一例を示す説明図である。
【図１６】図１６は、第１のチルト量算出方法の一例を示す説明図である。
【図１７】図１７は、第２のチルト量算出方法の一例を示す説明図である。
【図１８】図１８は、狭窄判定処理に関わる制御装置の処理動作の一例を示すフローチャートである。
【図１９】図１９は、実施例４の第１のノード内のノード制御部の一例を示す説明図である。
【図２０】図２０は、実施例４の第３の狭窄算出処理に関わる第１のノードの処理動作の一例を示すフローチャートである。
【図２１】図２１は、実施例５の光伝送システムの一例を示す説明図である。
【図２２】図２２は、スペクトル狭窄回避方法の一例を示す説明図である。
【図２３】図２３は、実施例６のチャネル判定処理に関わる制御装置の処理動作の一例を示すフローチャートである。
【図２４】図２４は、ＣＷ光挿入部の一例を示す説明図である。
【図２５】図２５は、信号比較の一例を示す説明図である。
【図２６】図２６は、信号比較の一例を示す説明図である。
【図２７】図２７は、ＣＷ光挿入部の一例を示す説明図である。
【図２８】図２８は、波長多重光とＷＳＳの透過特性との関係の一例を示す説明図である。
【図２９】図２９は、スペクトル狭窄の一例を示す説明図である。
【図３０】図３０は、チルト発生前後の波長多重光のチャネルの一例を示す説明図である。
【図３１】図３１は、チャネル内にチルトが発生した場合のスペクトル狭窄の一例を示す説明図である。
【発明を実施するための形態】
【００１２】
以下、図面に基づいて、本願の開示する制御装置、伝送装置及びスペクトル狭窄算出方法の実施例を詳細に説明する。尚、本実施例により、開示技術が限定されるものではない。また、以下に示す実施例は、矛盾を起こさない範囲で適宜組み合わせても良い。
【実施例１】
【００１３】
図１は、実施例１の光伝送システム１の一例を示すブロック図である。図１は、実施例１の光伝送システム１の一例を示す説明図である。図１に示す光伝送システム１は、複数台のノード２と、制御装置３とを有する。各ノード２は、光ファイバ４で通信接続する、例えば、光伝送装置である。ノード２は、例えば、ＣＤ(Color-less  Direction-less)のＲＯＡＤＭ(Reconfigurable  Optical  Add-Drop  Multiplexer)又はＣＤＣ(Color-less  Direction-less  Contention-less）のＲＯＡＤＭである。尚、説明の便宜上、ノード２の台数を７台としたが、これらに限定されるものではなく、その台数は適宜変更可能である。光伝送システム１は、例えば、複数の光信号を多重化する波長多重光を伝送するシステムである。
【００１４】
制御装置３は、光伝送システム１内の各ノード２の信号品質等の各種情報を収集する装置である。制御装置３は、各ノード２内で測定した波長多重光内の各チャネルのスペクトルを収集し、そのスペクトルの収集結果に基づき、波長多重光のスペクトル狭窄量を算出する装置である。制御装置３は、光伝送システム１内の複数のノード２の内、第１のノード２Ａ及び第２のノード２Ｂから波長多重光内の各チャネルのスペクトルを収集する。
【００１５】
図２は、実施例１のノード２の一例を示す説明図である。図２に示すノード２は、入力アンプ１１と、出力アンプ１２と、複数の受信部（Ｒｘ）１３と、複数の送信部（Ｔｘ）１４と、光挿入分岐部１５と、ＯＣＭ（Optical  Channel  Monitor）１６と、ノード制御部１７とを有する。入力アンプ１１は、光ファイバ４から入力する光信号を増幅する光アンプである。出力アンプ１２は、光ファイバ４に出力する光信号を増幅する光アンプである。Ｒｘ１３は、光信号を受信する受信部である。Ｔｘ１４は、光信号を送信する送信部である。図３は、光挿入分岐部１５の一例を示す説明図である。図３に示す光挿入分岐部１５は、ＷＳＳ１５Ａと、内部アンプ１５Ｂと、光分岐部１５Ｃとを有する。ＷＳＳ１５Ａは、波長多重光の一部を光分岐すると共に、波長多重光に新たな光信号を光挿入する機能を有する。内部アンプ１５Ｂは、波長多重光のパワーを調整する機能を有する。光分岐部１５Ｃは、光分岐した波長多重光を出力アンプ１２及びＯＣＭ１６に分岐出力する。光挿入分岐部１５は、波長多重光を光分岐し、光分岐した波長多重光を所定のＲｘ１３に伝送する。光挿入分岐部１５は、波長多重光にＴｘ１４からの光信号を光挿入し、光挿入した光信号を出力アンプ１２経由で光ファイバ４に出力する。
【００１６】
ＯＣＭ１６は、波長多重光から光信号のチャネル単位でスペクトルを測定する。ノード制御部１７は、ＯＣＭ１６で測定されたチャネル単位のスペクトルを示すスペクトル情報を収集する。更に、ノード制御部１７は、制御装置３と通信接続し、スペクトル情報を制御装置３に通知する。図４は、波長多重光とＷＳＳ１５Ａの透過特性との関係の一例を示す説明図である。図４に示す波長多重光は、同一のＷＳＳ１５Ａ及び同一のポートを通過する光信号であって、チャネルＣ単位の複数の光信号で構成し、両端のチャネルＣ１と、中間のチャネルＣ２とで構成する。両端のチャネルＣ１は、高周波側のチャネルＣ１Ａと、低周波側のチャネルＣ１Ｂとを有する。中間のチャネルＣ２は、高周波側のチャネルＣ１Ａと低周波側のチャネルＣ１Ｂとの間のチャネルである。尚、両端チャネルＣ１は、スペクトル狭窄が発生し得るチャネルである。中間チャネルＣ２は、両端チャネルＣ１に比較してスペクトル狭窄の影響が少ないチャネルである。
【００１７】
図５は、実施例１の制御装置３の一例を示す説明図である。図５に示す制御装置３は、通信部２１と、記憶部２２と、ＣＰＵ(Central  Processing  Unit)２３とを有する。通信部２１は、各ノード２との間の通信を司る通信インタフェースである。記憶部２２は、各種情報を記憶する領域である。ＣＰＵ２３は、制御装置３全体を制御する。ＣＰＵ２３は、機能として、取得部３１と、第１の算出部３２と、補償部３３と、第２の算出部３４と、制御部３５とを有する。
【００１８】
取得部３１は、通信部２１を通じて各ノード２から各チャネルのスペクトル情報、例えば、第１のノード２Ａ及び第２のノード２Ｂからスペクトル情報を取得する。第１の算出部３２は、第１のノード２Ａ及び第２のノード２Ｂからのスペクトル情報に基づき、第１のノード２Ａと第２のノード２Ｂとの間のチルト量を算出する。尚、チルト量は、例えば、光ファイバ４上の光増幅器に起因するチルト、ファイバ損失の波長依存性に起因するチルトや、誘導ラマン散乱等に起因するチルト等を加算したチルト量である。図６は、実施例１のチルト量算出方法の一例を示す説明図である。取得部３１は、第１のノード２Ａのスペクトル情報の中間チャネルＣ２の内、第１のチャネルの第１のスペクトルＳＰ１と、第２のノード２Ｂのスペクトル情報の中間チャネルＣ２の内、同一の第１のチャネルの第１のスペクトルＳＰ２とを取得する。尚、第１のチャネルは、中間チャネルＣ２の内、任意の１チャネルである。
【００１９】
更に、第１の算出部３２は、第１のノード２Ａで得た第１のスペクトルＳＰ１及び第２のノード２Ｂで得た第１のスペクトルＳＰ２から第１の周波数ポイント（ｆ１）に対応する第１のパワー値を夫々取得する。第１の算出部３２は、第１のノード２Ａで得た第１のスペクトルＳＰ１及び第２のノード２Ｂで得た第１のスペクトルＳＰ２から第２の周波数ポイント（ｆ２）に対応する第２のパワー値を夫々取得する。第１の算出部３２は、（数１）に基づき、チルト量を算出する。尚、第１の周波数ポイント及び第２の周波数ポイントは、第１のパワー値と第２のパワー値との差分量が明確となる感度が良好の周波数ポイントとする。ＴＡＢはチルト量、ＳＡ（ｆ１）は第１のスペクトルＳＰ１の第１のパワー値、ＳＡ（ｆ２）は第１のスペクトルＳＰ１の第２のパワー値、ＳＢ（ｆ１）は第１のスペクトルＳＰ２の第１のパワー値、ＳＢ（ｆ２）は第１のスペクトルＳＰ２の第２のパワー値である。
【００２０】
【数１】
2019016986.tif 000003
【００２１】
図７は、実施例１のチルト有無の一例を示す説明図である。図７に示す通り、チルトなしの場合には、傾きがなく、チルトがある場合には、傾きが生じる。尚、発生するチルトが波長に対して直線的なシステムを想定する。
【００２２】
図８は、実施例１のチルト補償方法の一例を示す説明図である。取得部３１は、第２のノード２Ｂで測定したスペクトル情報の両端チャネルＣ１の内、第２のチャネルの第２のスペクトルＳＰ３を取得する。尚、第２のチャネルは、両端チャネルＣ１の任意の１チャネル、例えば、高周波側のチャネルＣ１Ａである。補償部３３は、第２のスペクトルＳＰ３に対して第１の算出部３２で算出したチルト量を補償する。補償部３３は、（数２）に基づき、第２のノード２Ｂで得た第２のスペクトルＳＰ３に対してチルト量を補償し、チルト補償後の第３のスペクトルＳＰ４を算出する。Ｓ’Ｂは、チルト補償後の第３のスペクトルＳＰ４のパワー値である。
【００２３】
【数２】
2019016986.tif 000004
【００２４】
図９は、実施例１のスペクトル狭窄算出方法の一例を示す説明図である。取得部３１は、第１のノード２Ａで測定したスペクトル情報の両端チャネルＣ１の内、同一の第２のチャネルの第２のスペクトルＳＰ５を取得する。第２の算出部３４は、第１のノード２Ａで得た第２のチャネルの第２のスペクトルＳＰ５と、補償後の第３のスペクトルＳＰ４とを比較し、第２のスペクトルＳＰ５と第３のスペクトルＳＰ４との中心周波数ｆ３を揃える。そして、第２の算出部３４は、中心周波数ｆ３を揃えた後、（数３）及び（数４）に基づき、第２のスペクトルＳＰ５と第３のスペクトルＳＰ４との間のスペクトル狭窄量を算出する。Ｓ’Ａは中心周波数を揃えた第２のスペクトルＳＰ５のパワー値、Ｓ’Ｂは第３のスペクトルＳＰ４のパワー値、Δｆはスペクトルモニタの周波数分解能、ＳＡＢは、第１のノード２Ａと第２のノード２Ｂとの間のスペクトル狭窄量である。
【００２５】
【数３】
2019016986.tif 000005
【００２６】
【数４】
2019016986.tif 000006
【００２７】
そして、第２の算出部３４は、第２のスペクトルＳＰ５と第３のスペクトルＳＰ４との間のスペクトル狭窄量を第１のノード２Ａと第２のノード２Ｂとの間のスペクトル狭窄量として算出することになる。
【００２８】
制御装置３は、スペクトル狭窄が発生しない中間チャネルにおいて、ノード２間で発生したチルト量を算出し、両端チャネルの一方のチャネルのスペクトルをチルト量で補償する。更に、制御装置３は、補償後のスペクトルと、両端チャネルの他方のチャネルのスペクトルとの差分をノード２間のスペクトル狭窄量として算出する。
【００２９】
次に実施例１の光伝送システム１の動作について説明する。図１０は、実施例１の第１の狭窄算出処理に関わる制御装置３の処理動作の一例を示すフローチャートである。図１０において制御装置３内のＣＰＵ２３内の取得部３１は、第１のノード２Ａ及び第２のノード２Ｂの測定結果であるスペクトル情報から中間チャネルＣ２の内、第１のチャネルの第１のスペクトルを取得する（ステップＳ１１）。
【００３０】
ＣＰＵ２３内の第１の算出部３２は、第１のノード２Ａ及び第２のノード２Ｂで取得した第１のスペクトルから第１の周波数ポイントに対応する第１のパワー値を夫々取得する（ステップＳ１２）。第１の算出部３２は、第１のノード２Ａ及び第２のノード２Ｂで取得した第１のスペクトルから第２の周波数ポイントに対応する第２のパワー値を夫々取得する（ステップＳ１３）。
【００３１】
第１の算出部３２は、ステップＳ１２で得た第１のパワー値と、ステップＳ１３で得た第２のパワー値とに基づき、（数１）を用いて第１のノード２Ａと第２のノード２Ｂとの間のチルト量を算出する（ステップＳ１４）。取得部３１は、第２のノード２Ｂで測定したスペクトル情報の両端チャネルＣ１の内、第２のチャネルの第２のスペクトルを取得する（ステップＳ１５）。ＣＰＵ２３内の補償部３３は、（数２）を用いて、第２のスペクトルに対して、ステップＳ１４で算出したチルト量を補償する（ステップＳ１６）。
【００３２】
取得部３１は、第１のノード２Ａのスペクトル情報から第２のチャネルの第３のスペクトルを取得する（ステップＳ１７）。ＣＰＵ２３内の第２の算出部３４は、チルト補償後の第２のスペクトルと第３のスペクトルとの中心周波数を揃える（ステップＳ１８）。第２の算出部３４は、（数４）を用いて、第２のスペクトルと第３のスペクトルとの間の差分であるスペクトル狭窄量を算出し（ステップＳ１９）、図１０に示す処理動作を終了する。
【００３３】
制御装置３は、算出したスペクトル狭窄量に基づき、第１のノード２Ａ又は第２のノード２ＢのＷＳＳ１５Ａの透過特性の周波数を調整する。図１１は、スペクトル狭窄回避方法の一例を示す説明図である。図１１では、高周波側の両端チャネルＣ１Ａにスペクトル狭窄が発生している場合を例示した。制御装置３は、図１１に示すように、ＷＳＳ１５Ａの透過特性の周波数を高周波方向Ａにシフトし、ＷＳＳ１５Ａによる高周波側のスペクトル狭窄を回避できる。
【００３４】
実施例１の制御装置３は、第１のノード２Ａ及び第２のノード２Ｂで測定した中間チャネルＣ２の内、第１のチャネルの第１のスペクトルを夫々取得する。制御装置３は、第１のスペクトルから２点の周波数に対応したパワー量に基づき、第１のノード２Ａと第２のノード２Ｂとの間の第１のスペクトルのチルト量を算出した。更に、制御装置３は、波長多重光の両端チャネルＣ１の内、第２のノード２Ｂで測定した第２のチャネルの第２のスペクトルを取得し、第２のスペクトルに対してチルト量を補償する。更に、制御装置３は、補償後の第２のスペクトルと、第１のノード２Ａで測定した第２のチャネルの第３のスペクトルとの差分をスペクトル狭窄量として算出する。その結果、チャネル内にチルトが発生した場合でも、スペクトル狭窄量を高精度にモニタできる。
【００３５】
第２の算出部３４は、補償後の第２のスペクトルの中心周波数と、第３のスペクトルの中心周波数とを揃えて差分を算出した。その結果、スペクトル狭窄量を高精度にモニタできる。
【００３６】
制御装置３は、算出したスペクトル狭窄量が減少する方向に、第１のノード２Ａ又は第２のノード２ＢのＷＳＳ１５Ａの透過特性を調整するように第１のノード２Ａ又は第２のノード２Ｂを制御する。その結果、スペクトル狭窄を回避できる。
【００３７】
図１１では、高周波側の両端チャネルＣ１Ａにスペクトル狭窄が発生した場合を例示した。例えば、低周波側の両端チャネルＣ１Ｂにスペクトル狭窄が発生した場合に、ＷＳＳ１５Ａの透過特性の周波数を低周波方向にシフトすることで、低周波側のスペクトル狭窄を回避できる。
【００３８】
また、上記実施例では、ＷＳＳ１５Ａの透過特性の周波数を高周波方向又は低周波方向にシフトしたが、これに限定されるものではなく、透過帯域を広げるようにしても良く、適宜変更可能である。
【００３９】
第１の周波数ポイント及び第２の周波数ポイントは感度が良好の周波数ポイントとしたが、隣接するチャネルの信号の影響を受けない周波数ポイントとしても良く、例えば、感度が良好、かつ、隣接チャネルの信号の影響を受けない周波数ポイントしても良い。
【００４０】
尚、上記実施例１の補償部３３では、第２のノード２Ｂのスペクトル情報から第２のチャネルの第２のスペクトルを取得し、第２のスペクトルに対してチルト量を補償した。しかしながら、補償部３３は、第１のノード２Ａのスペクトル情報から第２のチャネルの第２のスペクトルを取得しても良く、その実施の形態につき、実施例２として以下に説明する。尚、実施例１の光伝送システム１と同一の構成には同一符号を付すことで、その重複する構成及び動作の説明については省略する。
【実施例２】
【００４１】
図１２は、実施例２のチルト補償方法の一例を示す説明図である。取得部３１は、第１のノード２Ａのスペクトル情報の両端チャネルＣ１の内、第２のチャネルの第２のスペクトルＳＰ６を取得する。尚、第２のチャネルは、両端チャネルＣ１の任意の１チャネル、例えば、高周波側のチャネルＣ１Ａである。補償部３３は、第２のスペクトルＳＰ６に対して第１の算出部３２で算出したチルト量を補償する。補償部３３は、（数５）に基づき、第１のノード２Ａで得た第２のスペクトルＳＰ６に対してチルト量を補償し、チルト補償後の第３のスペクトルＳＰ７を算出する。Ｓ’Ａは、チルト補償後の第３のスペクトルＳＰ７のパワー値である。
【００４２】
【数５】
2019016986.tif 000007
【００４３】
図１３は、実施例２のスペクトル狭窄算出方法の一例を示す説明図である。取得部３１は、第２のノード２Ｂのスペクトル情報の両端チャネルＣ１の内、同一の第２のチャネルの第２のスペクトルを取得する。第２の算出部３４は、第２のノード２Ｂで得た第２のチャネルの第２のスペクトルＳＰ８と、補償後の第３のスペクトルＳＰ７とを比較し、第２のスペクトルＳＰ８と第３のスペクトルＳＰ７との中心周波数ｆ３を揃える。そして、第２の算出部３４は、中心周波数ｆ３を揃えた後、（数６）及び（数７）に基づき、第２のスペクトルＳＰ８と第３のスペクトルＳＰ７との間のスペクトル狭窄量を算出する。そして、第２の算出部３４は、第２のスペクトルＳＰ８と第３のスペクトルＳＰ７との間のスペクトル狭窄量を第１のノード２Ａと第２のノード２Ｂとの間のスペクトル狭窄量として算出する。Ｓ’Ｂは中心周波数を揃えた第２のスペクトルＳＰ８のパワー値、Ｓ’Ａは第３のスペクトルＳＰ７のパワー値、Δｆはスペクトルモニタの周波数分解能、ＳＡＢは、第１のノード２Ａと第２のノード２Ｂとの間のスペクトル狭窄量である。
【００４４】
【数６】
2019016986.tif 000008
【００４５】
【数７】
2019016986.tif 000009
【００４６】
次に実施例２の光伝送システム１の動作について説明する。図１４は、実施例２の第２の狭窄算出処理に関わる制御装置３の処理動作の一例を示すフローチャートである。図１４において制御装置３内のＣＰＵ２３内の取得部３１は、ステップＳ１４にてチルト量を算出した後、第１のノード２Ａのスペクトル情報の両端チャネルＣ１の内、第２のチャネルの第２のスペクトルを取得する（ステップＳ１５Ａ）。補償部３３は、（数５）を用いて、第２のスペクトルに対して、ステップＳ１４で算出したチルト量を補償する（ステップＳ１６Ａ）。
【００４７】
取得部３１は、第２のノード２Ｂで測定したスペクトル情報から第２のチャネルの第３のスペクトルを取得する（ステップＳ１７Ａ）。第２の算出部３４は、チルト補償後の第２のスペクトルと第３のスペクトルとの中心周波数を揃える（ステップＳ１８Ａ）。更に、第２の算出部３４は、（数７）を用いて、第２のスペクトルと第３のスペクトルとの間の差分であるスペクトル狭窄量を算出し（ステップＳ１９Ａ）、図１３に示す処理動作を終了する。
【００４８】
実施例２の制御装置３は、第１のノード２Ａ及び第２のノード２Ｂで測定した中間チャネルＣ２の内、第１のチャネルの第１のスペクトルを夫々取得する。制御装置３は、第１のスペクトルから２点の周波数に対応したパワー量に基づき、第１のノード２Ａと第２のノード２Ｂとの間の第１のスペクトルのチルト量を算出した。更に、制御装置３は、波長多重光の両端チャネルＣ１の内、第１のノード２Ａで測定した第２のチャネルの第２のスペクトルを取得し、第２のスペクトルに対してチルト量を補償する。更に、制御装置３は、補償後の第２のスペクトルと、第２のノード２Ｂで測定した第２のチャネルの第３のスペクトルとの差分をスペクトル狭窄量として算出する。その結果、チャネル内にチルトが発生した場合でも、スペクトル狭窄量を高精度にモニタできる。
【００４９】
上記実施例の第２の算出部３４は、第１のノード２Ａと第２のノード２Ｂとの間のスペクトル狭窄量を算出したが、スペクトル狭窄の有無を判定できるようにしても良く、その場合の実施の形態につき、実施例３として以下に説明する。尚、実施例１の光伝送システム１と同一の構成には同一符号を付すことで、その重複する構成及び動作の説明については省略する。
【実施例３】
【００５０】
図１５は、実施例３の制御装置３Ａの一例を示す説明図、図１６は、第１のチルト量算出方法の一例を示す説明図、図１７は、第２のチルト量算出方法の一例を示す説明図である。図１５に示す制御装置３Ａ内のＣＰＵ２３Ａは、取得部３１及び制御部３５の他に、第３の算出部３６と、第４の算出部３７と、判定部３８とを有する。
【００５１】
取得部３１は、第１のノード２Ａで測定したスペクトル情報の中間チャネルＣ２の内、第１のチャネルの第１のスペクトルＳＰ１１を取得する。更に、取得部３１は、第２のノード２Ｂで測定したスペクトル情報の中間チャネルＣ２の内、同一の第１のチャネルの第１のスペクトルＳＰ１２を取得する。すなわち、取得部３１は、図１６に示すように、第１のチャネルの第１のスペクトルＳＰ１１と、第１のチャネルの第１のスペクトルＳＰ１２とを取得する。尚、第１のチャネルは、中間チャネルＣ２の内、任意の１チャネルである。
【００５２】
更に、第３の算出部３６は、図１６に示すように第１のノード２Ａで得た第１のスペクトルＳＰ１１及び第２のノード２Ｂで得た第２のスペクトルＳＰ１２から第１の周波数ポイント（ｆ１）に対応する第１のパワー値を夫々取得する。第３の算出部３６は、図１６に示すように第１のノード２Ａで得た第１のスペクトルＳＰ１１及び第２のノード２Ｂで得た第１のスペクトルＳＰ１２から第２の周波数ポイント（ｆ２）に対応する第２のパワー値を夫々取得する。第３の算出部３６は、（数１）に基づき、第１のチルト量を算出する。ＴＡＢはチルト量、ＳＡ（ｆ１）は第１のスペクトルＳＰ１１の第１のパワー値、ＳＡ（ｆ２）は第１のスペクトルＳＰ１１の第２のパワー値である。また、ＳＢ（ｆ１）は第１のスペクトルＳＰ１２の第１のパワー値、ＳＢ（ｆ２）は第１のスペクトルＳＰ１２の第２のパワー値である。
【００５３】
取得部３１は、第１のノード２Ａで得たスペクトル情報の両端チャネルＣ１の内、第３のチャネルの第４のスペクトルＳＰ１３と、第２のノード２Ｂで得たスペクトル情報の両端チャネルＣ１の内、同一の第３のチャネルの第４のスペクトルＳＰ１４とを取得する。すなわち、取得部３１は、第１のノード２Ａの第３のチャネルの第４のスペクトルＳＰ１３と、第２のノード２Ｂの第３のチャネルの第４のスペクトルＳＰ１４とを取得する。尚、第３のチャネルは、両端チャネルＣ１の内、任意の１チャネルである。
【００５４】
更に、第４の算出部３７は、図１７に示すように第１のノード２Ａで得た第４のスペクトルＳＰ１３及び第２のノード２Ｂで得た第４のスペクトルＳＰ１４から第１の周波数ポイント（ｆ１）に対応する第３のパワー値を夫々取得する。第４の算出部３７は、図１７に示すように第１のノード２Ａで得た第４のスペクトルＳＰ１３及び第２のノード２Ｂで得た第４のスペクトルＳＰ１４から第２の周波数ポイント（ｆ２）に対応する第４のパワー値を夫々取得する。第４の算出部３７は、（数８）に基づき、第２のチルト量を算出する。Ｔ’ＡＢはチルト量、Ｓ’Ａ（ｆ１）は第４のスペクトルＳＰ１３の第１のパワー値、Ｓ’Ａ（ｆ２）は第４のスペクトルＳＰ１３の第２のパワー値である。Ｓ’Ｂ（ｆ１）は第４のスペクトルＳＰ１４の第１のパワー値、Ｓ’Ｂ（ｆ２）は第４のスペクトルＳＰ１４の第２のパワー値である。
【００５５】
【数８】
2019016986.tif 000010
【００５６】
判定部３８は、第１のチルト量と第２のチルト量とが同一であるか否かを判定する。判定部３８は、第１のチルト量と第２のチルト量とが同一の場合、第１のノード２Ａと第２のノード２Ｂとの間にスペクトル狭窄なしと判断する。また、判定部３８は、第１のチルト量と第２のチルト量とが同一でない場合、第１のノード２Ａと第２のノード２Ｂとの間にスペクトル狭窄ありと判断する。
【００５７】
図１８は、狭窄判定処理に関わる制御装置３Ａの処理動作の一例を示すフローチャートである。図１８において制御装置３Ａ内のＣＰＵ２３Ａ内の取得部３１は、第１のノード２Ａ及び第２のノード２Ｂのスペクトル情報から中間チャネルＣ２の内、第１のチャネルの第１のスペクトルを取得する（ステップＳ２１）。
【００５８】
ＣＰＵ２３Ａ内の第３の算出部３６は、第１のノード２Ａで取得した第１のスペクトル及び第２のノード２Ｂで取得した第１のスペクトルから第１の周波数ポイントに対応する第１のパワー値を取得する（ステップＳ２２）。第３の算出部３６は、第１のノード２Ａで取得した第１のスペクトル及び第２のノード２Ｂで取得した第１のスペクトルから第２の周波数ポイントに対応する第２のパワー値を取得する（ステップＳ２３）。第３の算出部３６は、第１のパワー値及び第２のパワー値に基づき、第１のノード２Ａと第２のノード２Ｂとの間の第１のチルト量を算出する（ステップＳ２４）。取得部３１は、第１のノード２Ａ及び第２のノード２Ｂのスペクトル情報から両端チャネルＣ１の内、第３のチャネルの第４のスペクトルを取得する（ステップＳ２５）。
【００５９】
ＣＰＵ２３Ａ内の第４の算出部３７は、第１のノード２Ａで取得した第４のスペクトル及び第２のノード２Ｂで取得した第４のスペクトルから第１の周波数ポイントに対応する第３のパワー値を取得する（ステップＳ２６）。第４の算出部３７は、第１のノード２Ａで取得した第４のスペクトル及び第２のノード２Ｂで取得した第４のスペクトルから第２の周波数ポイントに対応する第４のパワー値を取得する（ステップＳ２７）。第４の算出部３７は、第３のパワー値及び第４のパワー値に基づき、第１のノード２Ａと第２のノード２Ｂとの間の第２のチルト量を算出する（ステップＳ２８）。
【００６０】
ＣＰＵ２３Ａ内の判定部３８は、第１のチルト量と第２のチルト量とが同一であるか否かを判定する（ステップＳ２９）。判定部３８は、第１のチルト量と第２のチルト量とが同一の場合（ステップＳ２９肯定）、第１のノード２Ａと第２のノード２Ｂとの間にスペクトル狭窄なしと判断し（ステップＳ３０）、図１８に示す処理動作を終了する。
【００６１】
判定部３８は、第１のチルト量と第２のチルト量とが同一でない場合（ステップＳ２９否定）、第１のノード２Ａと第２のノード２Ｂとの間にスペクトル狭窄ありと判断し（ステップＳ３１）、図１８に示す処理動作を終了する。
【００６２】
実施例３の制御装置３Ａは、第１のノード２Ａ及び第２のノード２Ｂで測定した中間チャネルＣ２の内、第１のチャネルの第１のスペクトルを夫々取得する。制御装置３Ａは、第１のスペクトルから第１の周波数及び第２の周波数に対応したパワー量に基づき、第１のノード２Ａと第２のノード２Ｂとの間の第１のスペクトルの第１のチルト量を算出する。制御装置３Ａは、第１のノード２Ａ及び第２のノード２Ｂで測定した両端チャネルＣ１の内、第３のチャネルの第４のスペクトルを夫々取得する。制御装置３Ａは、第４のスペクトルから第１の周波数及び第２の周波数に対応したパワー量に基づき、第１のノード２Ａと第２のノード２Ｂとの間の第４のスペクトルの第２のチルト量を算出する。制御装置３Ａは、第１のチルト量と第２のチルト量とを比較し、その比較結果に基づき、第１のノード２Ａと第２のノード２Ｂとの間のスペクトル狭窄の有無を判定する。制御装置３Ａは、第１のチルト量と第２のチルト量とが同一の場合、スペクトル狭窄なしと判断し、第１のチルト量と第２のチルト量とが同一でない場合、スペクトル狭窄ありと判断する。その結果、チャネル内にチルトが発生した場合でも、スペクトル狭窄の有無を判定できる。
【００６３】
尚、上記実施例３の判定部３８は、第１のチルト量が第２のチルト量と同一でない場合、スペクトル狭窄ありと判断したが、これに限定されるものではない。例えば、第１のチルト量と第２のチルト量との差分が許容範囲内の場合にスペクトル狭窄なしと判断し、第１のチルト量と第２のチルト量との差分が許容範囲を超えた場合にスペクトル狭窄ありと判断しても良い。
【００６４】
また、上記実施例では、制御装置３が第１のノード２Ａ及び第２のノード２Ｂからスペクトル情報を取得し、スペクトル情報に基づき、スペクトル狭窄算出処理又はスペクトル狭窄判定処理を実行した。しかしながら、制御装置３が実行するのではなく、ノード２自体が実行しても良く、その実施の形態につき、実施例４として以下に説明する。尚、上記実施例の光伝送システム１と同一の構成には同一符号を付すことで、その重複する構成及び動作の説明については省略する。
【実施例４】
【００６５】
図１９は、実施例４の第１のノード２Ａ内のノード制御部１７Ａの一例を示す説明図である。図１９に示すノード制御部１７Ａは、ノード側記憶部４１と、ノード側取得部４２と、ノード側第１の算出部４３と、ノード側補償部４４と、ノード側第２の算出部４５と、ノード側制御部４６とを有する。
【００６６】
ノード側記憶部４１は、例えば、スペクトル情報等の各種情報を記憶する領域である。ノード側取得部４２は、対向側のノード２、例えば、第２のノード２Ｂから所望のスペクトル情報を取得する。ノード側第１の算出部４３は、第１のノード２Ａ及び第２のノード２Ｂで得たスペクトル情報から第１のノード２Ａと第２のノード２Ｂとの間のチルト量を算出する。ノード側第１の算出部４３は、第１のノード２Ａのスペクトル情報の中間チャネルＣ２の内、第１のチャネルの第１のスペクトルと、第２のノード２Ｂのスペクトル情報の中間チャネルＣ２の内、同一の第１のチャネルの第１のスペクトルとを取得する。すなわち、ノード側第１の算出部４３は、第１のノード２Ａの第１のチャネルの第１のスペクトルと、第２のノード２Ｂの第１のチャネルの第１のスペクトルとを取得する。尚、第１のチャネルは、中間チャネルＣ２の内、任意の１チャネルである。
【００６７】
更に、ノード側第１の算出部４３は、第１のノード２Ａで得た第１のスペクトル及び第２のノード２Ｂで得た第１のスペクトルから第１の周波数ポイント（ｆ１）に対応する第１のパワー値を夫々取得する。ノード側第１の算出部４３は、第１のノード２Ａで得た第１のスペクトル及び第２のノード２Ｂで得た第１のスペクトルから第２の周波数ポイント（ｆ２）に対応する第２のパワー値を夫々取得する。ノード側第１の算出部４３は、（数１）に基づき、チルト量を算出する。
【００６８】
ノード側補償部４４は、第２のノード２Ｂのスペクトル情報の両端チャネルＣ１の内、第２のチャネルの第２のスペクトルを取得する。尚、第２のチャネルは、両端チャネルＣ１の任意の１チャネル、例えば、高周波側のチャネルである。ノード側補償部４４は、第２のスペクトルに対してノード側第１の算出部４３で算出したチルト量を補償する。ノード側補償部４４は、（数２）及び（数３）に基づき、第２のノード２Ｂで得た第２のスペクトルに対してチルト量を補償し、チルト補償後の第３のスペクトルを算出する。
【００６９】
ノード側第２の算出部４５は、第１のノード２Ａのスペクトル情報の両端チャネルＣ１の内、同一の第２のチャネルの第２のスペクトルを取得する。ノード側第２の算出部４５は、第１のノード２Ａで得た第２のチャネルの第２のスペクトルと、補償後の第３のスペクトルとを比較し、第２のスペクトルと第３のスペクトルとの中心周波数を揃える。そして、ノード側第２の算出部４５は、中心周波数ｆ３を揃えた後、（数４）に基づき、第２のスペクトルと第３のスペクトルとの間のスペクトル狭窄量を算出する。そして、ノード側第２の算出部４５は、第２のスペクトルと第３のスペクトルとの間のスペクトル狭窄量を第１のノード２Ａと第２のノード２Ｂとの間のスペクトル狭窄量として算出することになる。
【００７０】
次に実施例４の光伝送システム１の動作について説明する。図２０は、実施例４の第３の狭窄算出処理に関わる第１のノード２Ａの処理動作の一例を示すフローチャートである。図２０において第１のノード２Ａ内のノード制御部１７Ａ内のノード側取得部４２は、自ノードの測定結果であるスペクトル情報から中間チャネルＣ２の内、第１のチャネルの第１のスペクトルを取得する（ステップＳ４１）。ノード側取得部４２は、第２のノード２Ｂのスペクトル情報から中間チャネルＣ２の内、第１のチャネルの第１のスペクトルを取得する（ステップＳ４２）。
【００７１】
ノード制御部１７Ａ内のノード側第１の算出部４３は、第１のノード２Ａ及び第２のノード２Ｂで取得した第１のスペクトルから第１の周波数ポイントに対応する第１のパワー値を夫々取得する（ステップＳ４３）。ノード側第１の算出部４３は、第１のノード２Ａ及び第２のノード２Ｂで取得した第１のスペクトルから第２の周波数ポイントに対応する第２のパワー値を夫々取得する（ステップＳ４４）。
【００７２】
ノード側第１の算出部４３は、ステップＳ４３で得た第１のパワー値と、ステップＳ４４で得た第２のパワー値とに基づき、第１のノード２Ａと第２のノード２Ｂとの間のチルト量を算出する（ステップＳ４５）。
【００７３】
ノード側取得部４２は、第２のノード２Ｂのスペクトル情報の両端チャネルＣ１の内、第２のチャネルの第２のスペクトルを取得する（ステップＳ４６）。ノード側補償部４４は、第２のスペクトルに対して、ステップＳ４５で算出したチルト量を補償する（ステップＳ４７）。ノード側取得部４２は、第１のノード２Ａのスペクトル情報から第２のチャネルの第３のスペクトルを取得する（ステップＳ４８）。ノード側第２の算出部４５は、チルト補償後の第２のスペクトルと第３のスペクトルとの中心周波数を揃える（ステップＳ４９）。更に、ノード側第２の算出部４５は、第２のスペクトルと第３のスペクトルとの間の差分であるスペクトル狭窄量を算出し（ステップＳ５０）、図２０に示す処理動作を終了する。
【００７４】
第１のノード２Ａは、算出したスペクトル狭窄量に基づき、第１のノード２ＡのＷＳＳ１５Ａの透過特性の周波数を調整する。また、第１のノード２Ａは、算出したスペクトル狭窄量に基づき、第２のノード２ＢのＷＳＳ１５Ａの透過特性の周波数を調整する。第１のノード２Ａ及び第２のノード２Ｂは、ＷＳＳ１５Ａの透過特性の周波数を高周波方向にシフトし、ＷＳＳ１５Ａによるスペクトル狭窄を回避できる。
【００７５】
第１のノード２Ａは、自ノード２Ａ及び第２のノード２Ｂで測定した中間チャネルＣ２の内、第１のチャネルの第１のスペクトルを夫々取得する。第１のノード２Ａは、第１のスペクトルから２点の周波数に対応したパワー量に基づき、自ノード２Ａと第２のノード２Ｂとの間の第１のスペクトルのチルト量を算出した。更に、第１のノード２Ａは、波長多重光の両端チャネルＣ１の内、第２のノード２Ｂで測定した第２のチャネルの第２のスペクトルを取得し、第２のスペクトルに対してチルト量を補償する。更に、第１のノード２Ａは、補償後の第２のスペクトルと、第２のノード２Ｂで測定した第２のチャネルの第３のスペクトルとの差分をスペクトル狭窄量として算出する。その結果、第１のノード２Ａは、制御装置３を使用しなくても、チャネル内にチルトが発生した場合でも、スペクトル狭窄量を高精度にモニタできる。
【００７６】
尚、上記実施例４では、第１のノード２Ａを例示したが、第２のノード２Ｂが実行しても良く適宜変更可能である。また、第１のノード２Ａは、第３の狭窄算出処理を実行したが、狭窄判定処理を実行しても良く、適宜変更可能である。
【００７７】
上記実施例では、第１のノード２Ａや第２のノード２Ｂ内のＷＳＳ１５Ａの透過特性の周波数を調整し、スペクトル狭窄を回避した。しかしながら、これに限定されるものではなく、送信器側の光信号の周波数をシフトしても良く、その実施の形態につき、実施例５として以下に説明する。
【実施例５】
【００７８】
図２１は、実施例５の光伝送システム１Ａの一例を示す説明図である。図２１に示す光伝送システム１Ａは、送信器５と、複数のノード２と、受信器６と、制御装置３とを有する。送信器５は、光源５１と、変調器５２と、デジタル信号処理回路５３とを有する。制御装置３は、スペクトル狭窄量に応じた周波数シフト量を送信器５に通知する。
【００７９】
図２２は、スペクトル狭窄回避方法の一例を示す説明図である。送信器５内のデジタル信号処理回路５３は、制御装置３からの周波数シフト量に応じて波長多重光をＷＳＳ１５Ａの透過特性内を通過するように波長多重光の周波数を制御する。その結果、送信器５は、ＷＳＳ１５Ａの透過特性を変更することなく、図２２に示すように波長多重光の周波数を周波数減少方向Ｂにシフトし、ＷＳＳ１５Ａ内に透過出力することでスペクトル狭窄を回避できる。
【００８０】
尚、上記実施例５では、デジタル信号処理回路５３を通じて波長多重光の周波数を調整したが、光源５１を調整して波長多重光の周波数を調整しても良く、適宜変更可能である。
【００８１】
尚、上記実施例では、例えば、５チャネルの光信号を波長多重光として多重化した場合を例示したが、５チャネルに限定されるものではなく、適宜変更可能である。しかしながら、チャネル数が増えると、その波長多重光から中間チャネルＣ２及び両端チャネルＣ１を判定する処理が複雑になる。そこで、制御装置３では、波長多重光から中間チャネルＣ２及び両端チャネルＣ１を判定する方法につき、実施例６として以下に説明する。尚、実施例１の光伝送システム１と同一の構成には同一符号を付すことで、その重複する構成及び動作の説明については省略する。
【実施例６】
【００８２】
図２３は、実施例６のチャネル判定処理に関わる制御装置３の処理動作の一例を示すフローチャートである。図２３において制御装置３内のＣＰＵ２３内の制御部３５は、波長多重光から対象チャネルＸを指定する（ステップＳ６１）。制御部３５は、対象チャネルＸが、対象チャネルＸから高周波側に最も近いチャネルＹｎと同一のＷＳＳ１５Ａ及び同一ポートであるか否かを判定する（ステップＳ６２）。制御部３５は、対象チャネルＸがチャネルＹｎと同一のＷＳＳ１５Ａ及び同一ポートの場合（ステップＳ６２肯定）、ステップＳ６３に移行する。制御部３５は、対象チャネルＸが、対象チャネルＸから低周波側に最も近いチャネルＺｎと同一のＷＳＳ１５Ａ及び同一ポートであるか否かを判定する（ステップＳ６３）。
【００８３】
制御部３５は、対象チャネルＸがチャネルＺｎと同一のＷＳＳ１５Ａ及び同一ポートである場合（ステップＳ６３肯定）、対象チャネルＸを波長多重光から未指定のチャネルを指定して変更し（ステップＳ６４）、ステップＳ６２に移行する。
【００８４】
制御部３５は、対象チャネルＸがチャネルＹｎと同一のＷＳＳ１５Ａ及び同一ポートでない場合（ステップＳ６２否定）、ステップＳ６５に移行する。制御部３５は、対象チャネルＸが、対象チャネルＸから低周波側に最も近いチャネルＺｎと同一のＷＳＳ１５Ａ及び同一ポートであるか否かを判定する（ステップＳ６５）。制御部３５は、対象チャネルＸがチャネルＺｎと同一のＷＳＳ１５Ａ及び同一ポートでない場合（ステップＳ６５否定）、係数ｎを０に設定する（ステップＳ６６）。制御部３５は、対象チャネルＸを波長多重光内のチャネル群の両端チャネルＣ１とし（ステップＳ６７）、ステップＳ６８に移行する。制御部３５は、対象チャネルＺｎが、対象チャネルＺｎから低周波側にｎ＋１番目に近いチャネルＺｎ＋１と同一のＷＳＳ１５Ａ及び同一ポートであるか否かを判定する（ステップＳ６８）。
【００８５】
制御部３５は、対象チャネルＺｎが対象チャネルＺｎからチャネルＺｎ＋１と同一のＷＳＳ１５Ａ及び同一ポートの場合（ステップＳ６８肯定）、対象チャネルＺｎをチャネル群の中間チャネルＣ２とし（ステップＳ６９）、ステップＳ７０に移行する。そして、制御部３５は、対象チャネルＺｎをｎ＋１に指定変更し（ステップＳ７０）、ステップＳ６８に移行する。
【００８６】
制御部３５は、対象チャネルＺｎが対象チャネルＺｎからチャネルＺｎ＋１と同一のＷＳＳ１５Ａ及び同一ポートでない場合（ステップＳ６８否定）、対象チャネルＺｎをチャネル群の両端チャネルＣ１とし（ステップＳ７１）、図２３に示す処理動作を終了する。
【００８７】
制御部３５は、対象チャネルＸがチャネルＺｎと同一のＷＳＳ１５Ａ及び同一ポートでない場合（ステップＳ６３否定）、係数ｎを０に設定する（ステップＳ７２）。制御部３５は、対象チャネルＸを波長多重光内のチャネル群の両端チャネルＣ１とし（ステップＳ７３）、ステップＳ７４に移行する。そして、制御部３５は、対象チャネルＹｎが、対象チャネルＹｎから低周波側にｎ＋１番目に近いチャネルＹｎ＋１と同一のＷＳＳ１５Ａ及び同一ポートであるか否かを判定する（ステップＳ７４）。
【００８８】
制御部３５は、対象チャネルＹｎが対象チャネルＹｎからチャネルＹｎ＋１と同一のＷＳＳ１５Ａ及び同一ポートの場合（ステップＳ７４肯定）、対象チャネルＹｎをチャネル群の中間チャネルＣ２とし（ステップＳ７５）、ステップＳ７６に移行する。制御部３５は、対象チャネルＹｎをｎ＋１に指定変更し（ステップＳ７６）、ステップＳ７４に移行する。制御部３５は、対象チャネルＹｎが対象チャネルＹｎからチャネルＹｎ＋１と同一のＷＳＳ１５Ａ及び同一ポートでない場合（ステップＳ７４否定）、対象チャネルＹｎをチャネル群の両端チャネルＣ１とし（ステップＳ７７）、図２３に示す処理動作を終了する。制御部３５は、対象チャネルＸがチャネルＺｎと同一のＷＳＳ１５Ａ及び同一ポートの場合（ステップＳ６５肯定）、図中のＭ１、すなわちステップＳ６４に移行する。
【００８９】
制御装置３は、波長多重光のチャネルが増加した場合でも、波長多重光のチャネル群から両端チャネルＣ１及び中間チャネルＣ２を簡単に特定できる。
【００９０】
上記実施例１の制御装置３は、第１のノード２Ａで測定した波長多重光のチャネルと、第２のノード２Ｂで測定した波長多重光のチャネルとを比較したが、チャネル同士を比較する処理は複雑である。そこで、波長多重光の使用帯域と異なる周波数帯に、基準となるＣＷ（Continuous  Wave）光を挿入し、第１のノード２Ａで測定した波長多重光のＣＷ光に第２のノード２Ｂで測定した波長多重光のＣＷ光を揃える。そして、第１のノード２Ａで測定した波長多重光のチャネルと第２のノード２Ｂで測定した波長多重光のチャネルとを比較する実施の形態につき、実施例７として以下に説明する。尚、実施例１の光伝送システムと同一の構成には同一符号を付すことで、その重複する構成及び動作の説明については省略する。
【実施例７】
【００９１】
図２４は、ＣＷ光挿入部６０の一例を示す説明図である。尚、ＣＷ光挿入部６０は、例えば、第１のノード２Ａ内に内蔵し、ＣＷ光挿入部６０とＷＳＳ１５Ａとを接続し、ＷＳＳ１５Ａ内の波長多重光にＣＷ光を挿入する。図２４に示すＣＷ光挿入部６０Ａは、ＣＷ光源６１と、光スプリッタ６２と、偏波コントローラ６３と、光カプラ６４とを有する。ＣＷ光源６１は、ＣＷ光を生成する。光スプリッタ６２は、ＣＷ光を光分岐し、光カプラ６４及び偏波コントローラ６３に出力する。偏波コントローラ６３は、光分岐されたＣＷ光を９０度回転し、９０度回転後のＣＷ光を光カプラ６４に出力する。光カプラ６４は、光スプリッタ６２からのＣＷ光と、偏波コントローラ６３からの９０度回転後のＣＷ光とを光結合してＷＳＳ１５Ａ内の波長多重光に挿入する。
【００９２】
尚、説明の便宜上、ＣＷ光挿入部６０は、第１のノード２Ａに内蔵した場合を例示したが、第２のノード２Ｂにも内蔵しているものとする。
【００９３】
図２５及び図２６は、信号比較の一例を示す説明図である。第１のノード２Ａ内のＯＣＭ１６は、図２５に示すように、波長多重光及びＣＷ光を取得する。尚、ＣＷ光の周波数は、周波数ｆ５とする。第２のノード２Ｂ内のＯＣＭ１６も、図２５に示すように、波長多重光及びＣＷ光を取得する。尚、ＣＷ光の周波数は、周波数ｆ６とする。
【００９４】
制御装置３は、例えば、第１のノード２Ａで得たＣＷ光の周波数ｆ５と第２のノード２Ｂで得たＣＷ光の周波数ｆ６との差分を算出し、差分量に基づき、第１のノード２Ａで得たＣＷ光に第２のノード２Ｂで得たＣＷ光の周波数ｆ６を揃える。そして、制御装置３は、第１のノード２Ａで得た波長多重光と、第２のノード２Ｂで得た波長多重光とを比較する。その結果、制御装置３は、第１のノード２Ａで得たＣＷ光と、第２のノード２Ｂで得たＣＷ光とを揃えるため、波長多重光同士の比較処理が容易になる。尚、制御装置３は、第２のノード２Ｂで得たＣＷ光の周波数ｆ６に第１のノード２Ａで得たＣＷ光の周波数ｆ５を揃えても良い。また、制御装置３は、第１のノード２Ａで得たＣＷ光と第２のノード２Ｂで得たＣＷ光とを揃えても良い。
【００９５】
尚、実施例７のＣＷ光挿入部６０は、図２４に示すように構成したが、これに限定されるものではなく、図２７に示す構成にしても良い。図２７は、ＣＷ光挿入部６０の一例を示す説明図である。図２７に示すＣＷ光挿入部６０Ａは、ＣＷ光源６１Ａと、偏波スクランブラ６２Ａとを有する。ＣＷ光源６１Ａは、ＣＷ光を生成する。偏波スクランブラ６２Ａは、ＣＷ光を偏波スクランブルし、偏波スクランブル処理後のＣＷ光をＷＳＳ１５Ａ内の波長多重光に挿入する。制御装置３は、第１のノード２Ａで得たＣＷ光と、第２のノード２Ｂで得たＣＷ光とを揃えるため、波長多重光同士の比較処理が容易になる。
【００９６】
上記実施例では、スーパーチャネル等の波長多重光を例示したが、波長多重光に限定されるものではなく、電気段のサブキャリア多重信号にも適用可能である。ＷＳＳ１５Ａの個体及びポートが同一かつ、同じＷＳＳスロット内にある複数のチャネルに対しても実施可能である。
【００９７】
上記実施例の第１のノード２Ａ及び第２のノード２Ｂは送信器５と受信器６との間を接続する光パス上の隣接するノード２として例示したが、隣接するノード２に限定されるものではなく、送信器５と受信器６との間の光パス上のノード２であれば良い。また、第１のノード２Ａ及び第２のノード２Ｂは、ノード２に限定されるものではなく、送信器５又は受信器６であっても良い。ノード２は、ＲＯＡＤＭを例示したが、例えば、ＩＬＡ（In  Line  Amplifier）であっても良い。
【００９８】
上記実施例の光伝送システム１として、スーパーチャネル方式を採用したが、スーパーチャネル方式に限定されるものではなく、複数の信号を多重化して伝送する他の伝送方式にも適用可能である。
【００９９】
また、図示した各部の各構成要素は、必ずしも物理的に図示の如く構成されていることを要しない。すなわち、各部の分散・統合の具体的形態は図示のものに限られず、その全部又は一部を、各種の負荷や使用状況等に応じて、任意の単位で機能的又は物理的に分散・統合して構成することができる。
【０１００】
更に、各装置で行われる各種処理機能は、ＣＰＵ（Central  Processing  Unit）（又はＭＰＵ（Micro  Processing  Unit）、ＭＣＵ（Micro  Controller  Unit）等のマイクロ・コンピュータ）上で、その全部又は任意の一部を実行するようにしても良い。また、各種処理機能は、ＣＰＵ（又はＭＰＵ、ＭＣＵ等のマイクロ・コンピュータ）で解析実行するプログラム上、又はワイヤードロジックによるハードウェア上で、その全部又は任意の一部を実行するようにしても良いことは言うまでもない。
【符号の説明】
【０１０１】
１  光伝送システム
２  ノード
２Ａ  第１のノード
２Ｂ  第２のノード
３  制御装置
３Ａ  制御装置
１７Ａ  ノード制御部
３１  取得部
３２  第１の算出部
３３  補償部
３４  第２の算出部
３５  制御部
３６  第３の算出部
３７  第４の算出部
３８  判定部
４２  ノード側取得部
４３  ノード側第１の算出部
４４  ノード側補償部
４５  ノード側第２の算出部
【図１】
2019016986.tif 000011
【図２】
2019016986.tif 000012
【図３】
2019016986.tif 000013
【図４】
2019016986.tif 000014
【図５】
2019016986.tif 000015
【図６】
2019016986.tif 000016
【図７】
2019016986.tif 000017
【図８】
2019016986.tif 000018
【図９】
2019016986.tif 000019
【図１０】
2019016986.tif 000020
【図１１】
2019016986.tif 000021
【図１２】
2019016986.tif 000022
【図１３】
2019016986.tif 000023
【図１４】
2019016986.tif 000024
【図１５】
2019016986.tif 000025
【図１６】
2019016986.tif 000026
【図１７】
2019016986.tif 000027
【図１８】
2019016986.tif 000028
【図１９】
2019016986.tif 000029
【図２０】
2019016986.tif 000030
【図２１】
2019016986.tif 000031
【図２２】
2019016986.tif 000032
【図２３】
2019016986.tif 000033
【図２４】
2019016986.tif 000034
【図２５】
2019016986.tif 000035
【図２６】
2019016986.tif 000036
【図２７】
2019016986.tif 000037
【図２８】
2019016986.tif 000038
【図２９】
2019016986.tif 000039
【図３０】
2019016986.tif 000040
【図３１】
2019016986.tif 000041